(57)【特許請求の範囲】
【請求項１】
電極引出しリード（２ａ、２ｂ）を接続したアルミニウム箔からなる陽極箔と陰極箔とをセパレータを介して巻回したコンデンサ素子（５）に電解液を含浸し、該コンデンサ素子（５）を金属ケース（４）に収納し、該金属ケース（４）の開口部を弾性封口体（３）で封止してなる電解コンデンサにおいて、
弾性封口体（３）に設けた中空部を有する凸部（１２）と、ハトメ形外部引出し電極（９ａ、９ｂ）を固定した電極保持材（１１）とを当接し、かつ脆弱部（１３ａ、１３ｂ）が設けられた電極引出しリード（２ａ、２ｂ）に接続する外部引出しリード（１ａ、１ｂ）に上記ハトメ形外部引出し電極（９ａ、９ｂ）を被冠して突き出し、該ハトメ形外部引出し電極（９ａ、９ｂ）に上記外部引出しリード（１ａ、１ｂ）を固定したことを特徴とするアルミニウム電解コンデンサ。
【請求項２】
上記の中空のハトメ形外部引出し電極（９ａ、９ｂ）は、鉄、銅、真鍮等の半田付け可能な金属からなることを特徴とする請求項１のアルミニウム電解コンデンサ。
【請求項３】
上記弾性封口体（３）は、主たる材質がイソブチレン・イソプレン・ラバー（ＩＩＲ）からなり、該弾性封口体（３）にケース内圧上昇により外側に変形可能な薄肉部を有する中空の凸部（１２）を設けたことを特徴とする請求項１の電解コンデンサ。
【請求項４】
上記電極保持部材（１１）の中央に変形防止用突起（１５）を設け、該突起の周辺部に該突起とほぼ同一平面をなすように複数の突起（１６）を設けたことを特徴とする請求項１のアルミニウム電解コンデンサ。
【発明の詳細な説明】
【０００１】
【発明の属する技術分野】
本発明はアルミニウム電解コンデンサに関し、特にオープンモードの保安機構を備えた電解コンデンサに関するものである。
【０００２】
【従来の技術】
アルミニウム電解コンデンサは、民生機器、産業機器等幅広く使用されており、その代表的な構造を図６に示す。アルミニウム箔からなる陽極箔と陰極箔とをセパレータを介して巻回したコンデンサ素子５に電解液を含浸し、該コンデンサ素子５を金属ケース４に収納し、金属ケース４の開口部は電極引出しリード２を貫通させた弾性封口体３により密封して形成されている。従来、アルミニウム電解コンデンサは、通電中発生する水素ガスによりアルミニウムケース４の内部圧力が上昇してしまうという問題がある。そして、内部圧力の上昇により、例えば弾性封口体３が爆音とともに飛び出す等の不具合が生ずる。このため通常はアルミニウムケース４の底面側等に形成された薄肉部によって、アルミニウムケース４の内部圧力が異常に高くなる前に、内部のガスを放出する保安機構、すなわち、防爆構造が採用されている。
【０００３】
【発明が解決しようとする課題】
しかしながら、このような防爆構造は、内部のガスを放出させる構造が採用されているため、弁の作動と共にコンデンサ素子５に含浸されていた電解液がミスト状となって吹き出してしまうという問題が発生する。ここで、電解液としては、導電性のものが使用されており、しかも可燃性の物が殆どであることから、噴出した電解液が回路パターン等に付着すると、パターンの間をショートさせたり、場合によっては、発火の原因となる危険性もある。
【０００４】
このような事態に対処するため、アルミニウム電解コンデンサに異常が発生したときには、コンデンサ自身がオープン状態となり、ショートあるいは発火等の不具合を防止できる装置が、種々検討されている。
しかしながら、従来検討されている装置は、いずれもコンデンサ内部に大きなスペースを必要としたり、あるいは、極めて構造が複雑なものであり、アルミニウム電解コンデンサの小型で安価であるという長所を減ずるものでしかなかった。
【０００５】
そこで、本発明においては、上記の問題点に鑑みて、小型で安価なアルミニウム電解コンデンサであって、かつ、オープンモードの保安機構を有するものを提供することを目的としている。
【０００６】
【課題を解決するための手段】
本発明は、電極引出しリード２ａ、２ｂを接続したアルミニウム箔からなる陽極箔と陰極箔とをセパレータを介して巻回したコンデンサ素子５に電解液を含浸し、該コンデンサ素子５を金属ケース４に収納し、該金属ケース４の開口部を弾性封口体３で封止してなる電解コンデンサにおいて、
該弾性封口体３に設けた中空部を有する凸部１２と、ハトメ形外部引出し電極９ａ、９ｂを固定した電極保持材１１とを当接し、かつ脆弱部１３ａ、１３ｂが設けられた電極引出しリード２ａ、２ｂに接続する外部引出しリード１ａ、１ｂに上記ハトメ形外部引出し電極９ａ、９ｂを被冠して突き出し、該ハトメ形外部引出し電極９ａ、９ｂに上記外部引出しリード１ａ、１ｂを固定したことを特徴とするアルミニウム電解コンデンサである。
【０００７】
上記の中空のハトメ形外部引出し電極９ａ、９ｂは、鉄、銅、真鍮等の半田付け可能な金属からなる。
【０００８】
また、上記弾性封口体３は、主たる材質がイソブチレン・イソプレン・ラバーＩＩＲからなり、該弾性封口体３にケース内圧上昇により外側に変形可能な薄肉部を有する中空の凸部１２が設けられている。
【０００９】
上記電極保持部材１１の中央に変形防止用突起１５を設け、該突起の周辺部に該突起とほぼ同一平面をなすように複数の突起１６が設けられている。
【００１０】
【発明の実施の形態】
本発明に係るアルミニウム電解コンデンサにおいては、該弾性封口体３に設けた中空部を有する凸部１２と、ハトメ形外部引出し電極９ａ、９ｂを固定した電極保持材１１とを当接し、かつ脆弱部１３ａ、１３ｂが設けられた電極引出しリード２ａ、２ｂに接続する外部引出しリード１ａ、１ｂに上記ハトメ形外部引出し電極９ａ、９ｂを被冠して突き出し、該ハトメ形外部引出し電極９ａ、９ｂに上記外部引出しリード１ａ、１ｂを固定している。
【００１１】
上記の中空のハトメ形外部引出し電極９ａ、９ｂは鉄、銅、真鍮等の半田付け可能な金属からなる。
【００１２】
また、上記弾性封口体３は、主たる材質がイソブチレン・イソプレン・ラバーＩＩＲからなり、該弾性封口体３にケース内圧上昇により外側に変形可能な薄肉部を有する中空の凸部１２が設けられている。
【００１３】
上記電極保持部材１１の中央に変形防止用突起１５を設け、該突起の周辺部に該突起とほぼ同一平面をなすように複数の突起１６が設けられている。
【００１４】
【実施例】
以下、本発明を図１〜図５に示す実施例により説明する。
【００１５】
図１は本発明の保安機構付きアルミニウム電解コンデンサの断面図である。
電極保持部材１１には中空ハトメ形外部引出し電極９ａ、９ｂが固定されており、この引出し電極の先端には引出し孔１７ａ、１７ｂが設けられている。
また、コンデンサ素子との接着を遮断する脆弱部（１３ａ、１３ｂ）を設けた電極引出しリード（２ａ、２ｂ）には、外部引出しリード１ａ、１ｂが接続する。
電極保持部材１１の中空のハトメ形外部引出し電極９ａ、９ｂを外部引出しリード１ａ、１ｂに被冠し、弾性封口部材３の中空の凸部１２が電極保持部材１１に当接するまで押し上げ、リード引出し孔１７ａ、１７ｂから外部引出しリード１ａ、１ｂを突き出し、これをハトメ形外部引出し電極９ａ、９ｂに固定し外部電極端子とする。
【００１６】
図２は電極保持部材１１で、電極引出しリードが挿入できるハトメ形外部引出し電極９ａ、９ｂが固定され、その先端には引出し孔（１７ａ、１７ｂ）が設けられている。該電極保持部材１１の内面にコンデンサ本体１４が挿入される。
【００１７】
図３はコンデンサケース内の圧力上昇によって外側に変形可能な変形部１２を設けた弾性封口体３と、薄肉部１３ａ、１３ｂを有する電極引出しリード２ａ、２ｂを用いたアルミニウム電解コンデンサ本体であり、その他の部材は従来通りの物を使用している。
【００１８】
図４は本発明の保安機構付きアルミニウム電解コンデンサの斜視図であって、電極保持部材１１の中央に変形防止用突起１５が設けられ、該突起とほぼ同一平面をなすように複数の突起１６が設けられているため、コンデンサを基板に半田付けするとき基板との間に空間ができ、半田付け時に発生するフラックスガスを逃すことができる。
【００１９】
図５は本発明の保安機構付きアルミニウム電解コンデンサが作動したときの断面図であって、コンデンサケース内の圧力上昇によって外側に向かって変形した弾性封口部材３の変形部１２が、電極保持部材１１を押圧し、その反発応力によりコンデンサ本体が変位し、電極保持部材にプレス固定された電極引出しリードに引張り応力が生じ、電極引出しリードに予め設けてある薄肉部１３ａ、１３ｂを破断させオープン状態となる。
【００２０】
【発明の効果】
以上説明したように、本発明に係るアルミニウム電解コンデンサにおいては、コンデンサケース内の圧力が上昇すると、弾性封口体３の変形部１２が電極保持部材１１を押し上げ、この押圧力で、電極引出しリード（２ａ、２ｂ）の脆弱部（１３ａ、１３ｂ）を破断することにより、電極引出しリード（２ａ、２ｂ）とコンデンサ素子５間の接続を遮断するため、コンデンサに異常が発生したとき、コンデンサ自体がオープン状態となり、ショートあるいは発火等の不具合を防止できる。
また、上記電極保持部材１１の中央に変形防止用突起１５が設けられているので、電極保持部材１１の変形が防止でき、かつ変形防止用突起１５の周辺部に該突起とほぼ同一平面をなすように複数の突起１６が設けられているので、コンデンサを基板に半田付けするとき、基板との間に空間ができ、半田付け時に発生するフラックスガスを逃すことができる。
従って、簡単な構造で、しかも信頼性の高い保安機構を組み込んだアルミニウム電解コンデンサを小型かつ安価に提供することができる。
【図面の簡単な説明】
【図１】本発明の実施例に係る保安機構付きアルミニウム電解コンデンサの断面図である。
【図２】本発明の実施例にかかる電極保持部材の断面図である。
【図３】本発明の実施例に係るアルミニウム電解コンデンサ本体の断面図である。
【図４】本発明の実施例に係る保安機構付きアルミニウム電解コンデンサの斜視図である。
【図５】本発明の実施例に係る保安機構付きアルミニウム電解コンデンサの作動時の断面図である。
【図６】従来の構造に係るアルミニウム電解コンデンサの断面図である。
【符号の説明】
１ａ、１ｂ・・・外部引出し電極
２ａ、２ｂ・・・電極引出しリード
３・・・弾性封口体
４・・・金属ケース
５・・・コンデンサ素子
６・・・スリーブ
７・・・リード肩部
８・・・ケース防爆弁
９ａ、９ｂ・・・ハトメ形外部引出し電極
１０ａ、１０ｂ・・・電極引出しリード折り曲げ固定部
１１・・・電極保持部材
１２・・・凸部
１３ａ、１３ｂ・・・電極引出しリード薄肉部
１４・・・コンデンサ本体
１５・・・変形防止用突起
１６・・・突起
１７ａ、１７ｂ・・・リード引出し孔
【図１】
0003683344.tif 000002
【図２】
0003683344.tif 000003
【図３】
0003683344.tif 000004
【図４】
0003683344.tif 000005
【図５】
0003683344.tif 000006
【図６】
0003683344.tif 000007